(57)【特許請求の範囲】
【請求項１】
複数の競技者の走行によって行われる競技にあって、スタート地点のスタート信号、中継地点での経過信号、ゴール地点でのゴール信号を受信し、記憶し、演算して競技者のラップタイム、スプリットタイム、累積タイム等の競技タイムを計測表示する競技用計時システムにおいて、スタート地点、複数の中継地点及びゴール地点に配設された複数の計時表示装置は基本構成が同一であって、基準時刻信号受信部、経過時間算出部、入力部、出力部、操作部及び表示部を具備し、前記計時表示装置の時刻基準信号はアンテナにより受信され前記基準時刻信号受信部によって得られた基準時刻信号に同期化されており、前記スタート地点の計時表示装置が入力部よりのスタート信号の入力によって計時が開始された後で、最初の中継地点を最初の競技者が通過する以前に、前記スタート地点の計時表示装置の出力部より出力されたスタート時刻を、前記中継地点、ゴール地点の計時表示装置の入力部に入力するように構成し、前記経過時間算出部により、スタート時刻からの経過時間が演算されて、前記スタート地点及びゴール地点を通過する競技者のラップタイム、スプリットタイム、全走行タイム等の競技タイムを計時表示することを特徴とする競技用計時システム。
【請求項２】
前記基準時刻信号受信部がＧＰＳ装置部であることを特徴とする請求項１記載の競技用計時システム。
【請求項３】
前記スタート地点、中継地点及びゴール地点の計時表示装置に、複数の競技者の識別番号を登録し、前記スタート地点、中継地点及びゴール地点で競技者の通過時刻を計時表示装置に入力して、スタート時刻からの経過時間が演算されて、前記スタート地点及びゴール地点を通過する競技者のラップタイム、スプリットタイム、全走行タイム等の競技タイムを計時表示することを特徴とする請求項１又は２に記載の競技用計時システム。
【請求項４】
前記計時表示装置がＧＰＳ装置部、制御部、記憶部、入力部、操作部、個別競技者識別部、経過時間算出部、初期時刻設定部、クロック部、表示部で構成されていることを特徴とする請求項１、２または３に記載の競技用計時システム。
【請求項５】
前記時刻信号入力部が音声入力によって構成されていることを特徴とする請求項４に記載の競技用計時システム。
【発明の詳細な説明】
【０００１】
【発明の属する技術分野】
本発明は、ＧＰＳ装置を用いた競技用計時システムの構成に関するもので、特にスタート地点とは遠隔な場所にある中継地点、ゴール地点でのラップタイム、スプリットタイム、全走行タイムを簡易に算出するための計時システムに関するものである。
【０００２】
【従来の技術】
複数の競技者が走行するマラソン競技では、スタート地点、中継地点、ゴール地点が互いに遠隔にあり、前記スタート地点、中継地点、ゴール地点での競技者のラップタイム、スプリットタイム、エレプシードタイム、全走行タイム等の競技タイムを計測するためには、前記地点に前記計時表示装置を設置し、競技のスタート開始時刻をインプットして経過時間を計時することが必要である。このために、スタート地点、予め複数の中継地点及びゴール地点に計時に必要な数の計時表示装置を用意して置き、スタートピストルの発射音と同時に前記計時表示装置の計時を一斉にスタートさせ、前記計時表示装置を前記複数の中継地点とゴール地点まで運んで設置して、走行通過する競技者をチェックして競技者のラップタイム、スプリットタイム、全走行タイムを計測することが行われていた。このような状況から、非効率な前記計時システムを改善するために、競技用計時システムを合理化、ないしは自動化しようとする提案が行われている。
【０００３】
例えば、特開平５ー２７０５３号（以下では文献Ａ）は、マラソン競技のタイム測定の自動化を目的としたものである。文献Ａによると、競技者に計時カウンタを携帯させ、スタート地点で電波を放射して、前記計時カウンタをスタートさせ、ゴール地点で再び電波を放射して前記計時カウンタの計時を終了させて競技者の経過時間を計測するものである。
【０００４】
また、特開平８ー１１０３８５号（以下では文献Ｂ）は、同一コースに複数の走行物（移動体）があるとき、各移動体の走行状態が一覧表示できるように表示板を設け走行物が競技コースにいることを確認してラップタイムを計測するものである。
【０００５】
また、衛星から送信される電波を受けて構成されるＧＰＳ（Ｇｒｏｂａｌ  ＰＯｓｉｔｉｏｎｉｎｇ  Ｓｙｓｔｅｍ）装置の応用が一般に普及して来ており、利用者の移動位置が容易に正確に分かるカーナビゲーションシステムに取り入れられ、実用効果が上がっている。このよう状況で、計時システムに前記ＧＰＳ装置を利用しようとする動きも見られるようになって来た。
【０００６】
例えば、特開平６ー４４４９５号（以下では文献Ｃ）は、ＧＰＳ装置を用いて利用者に車両の目的地への到着時間を表示する装置に関するものである。
【０００７】
【発明が解決しようとする課題】
しかしながら、前述の従来例には以下のような問題があった。前述の例は、先ず、スタート地点に、予め複数の中継地点、ゴール地点の計時に必要な数の計時表示装置を用意して置き、スタートピストルの発射音と同時に前記計時表示装置の計時を一斉にスタートさせ、前記計時表示装置を前記複数の中継地点、ゴール地点まで運んで設置して、走行通過する競技者をチェックして競技者のラップタイム、スプリットタイム、全走行タイムを計測する方法であるが、いかにも前近代的であり、人手もかかり、前記計時表示装置を輸送中に交通渋滞や事故に遭遇して計時が不可能になる恐れがある。
【０００８】
また、文献Ａでは、競技者に計時カウンタを携帯させるので違和感があるだけではなく、記録更新のために最近のように軽くて高性能なスポーツ繊維が常に求められている現状に逆向しており実際的ではない。
【０００９】
また、文献Ｂでは、複数の移動体が同一のコースにあることを観察できるような競技では有効であるが、マラソン競技のように、互いに遠隔地にあるスタート地点、複数の中継地点、ゴール地点での計時には不向きである。
【００１０】
また、文献Ｃでは、競技用の計時表示装置とは直接関係せず、ＧＰＳ装置を積極的に競技用の計時表示装置に応用したものではない。本発明の目的は、前述の欠点を除去して、ＧＰＳ装置を用いた計時表示装置を提案するものである。
【００１１】
【課題を解決するための手段】
本発明による課題を解決する競技用計時システムは、複数の競技者の走行によって行われる競技にあって、スタート地点のスタート信号、中継地点での経過信号、ゴール地点でのゴール信号を受信し、記憶し、演算して競技者のラップタイム、スプリットタイム、累積タイム等の競技タイムを計測表示する競技用計時システムにおいて、スタート地点、複数の中継地点及びゴール地点に配設された複数の計時表示装置は基本構成が同一であって、基準時刻信号受信部、経過時間算出部、入力部、出力部、操作部及び表示部を具備し、前記計時表示装置の時刻基準信号はアンテナにより受信され前記基準時刻信号受信部によって得られた基準時刻信号に同期化されており、前記スタート地点の計時表示装置が入力部よりのスタート信号の入力によって計時が開始された後で、最初の中継地点を最初の競技者が通過する以前に、前記スタート地点の計時表示装置の出力部より出力されたスタート時刻を、前記中継地点、ゴール地点の計時表示装置の入力部に入力するように構成し、前記経過時間算出部により、スタート時刻からの経過時間が演算されて、前記スタート地点及びゴール地点を通過する競技者のラップタイム、スプリットタイム、全走行タイム等の競技タイムを計時表示することを特徴とする。
また、本発明による課題を解決する競技用計時システムは、前記基準時刻信号受信部がＧＰＳ装置部であることを特徴とするものである。
【００１２】
また、本発明による課題を解決する競技用の計時表示装置は、前記スタート地点、中継地点及びゴール地点の計時表示装置に、複数の競技者の識別番号を登録し、前記スタート地点、中継地点及びゴール地点で競技者の通過時刻を計時表示装置に入力して、スタート時刻からの経過時間が演算されて、前記スタート地点及びゴール地点を通過する競技者のラップタイム、スプリットタイム、全走行タイム等の競技タイムを計時表示することを特徴とするものである。
【００１３】
また、本発明による課題を解決する競技用の計時表示装置は、前記計時表示装置がＧＰＳ装置部、制御部、記憶部、入力部、操作部、個別競技者識別部、経過時間算出部、初期時刻設定部、クロック部、表示部で構成されていることを特徴とするものである。
【００１４】
更にまた、本発明による課題を解決する競技用の計時表示装置は、前記時刻信号入力部が音声入力によって構成されていることを特徴とするものである。
【００１５】
【発明の実施の形態】
以下では、本発明の実施の形態を図面に基づいて説明する。図１は本発明の競技用計時システムの総合構成図である。図２は本発明のスタート時刻信号のタイムチャートである。図３は本発明の競技用計時システムの詳細構成図である。図４は本発明の競技用計時システムの競技空間での設置図である。
【００１６】
図１において、本発明の競技用計時システム１００は、スタート地点に配置された基本構成が同一の計時表示装置１０１（以下スタート地点）、中継地点に配置された基本構成が同一の複数の計時表示装置１０２（以下中継地点、最初の中継地点を１０２ａとする）及びゴール地点に配置された基本構成が同一の計時表示装置１０３（以下ゴール地点）で構成されている。前記計時表示装置１０１、１０２、１０３は後述するＧＰＳ装置による基準時刻同期化信号１０９によって同期化されている。競技のスタートピストルの発射音と同時に発するスタート信号１０７は、前記計時表示装置１０１の操作／入力部１０４に入力される。前記計時表示装置１０１からは、スタート時刻信号１０８が出力されて、前記計時表示装置１０２、１０３の操作／入力部１０５及び１０６に入力される。前記スタート時刻信号１０８は、例えば音声による通話で００時００分００秒００００というように、１０桁の数値で前記操作／入力部１０５、１０６にオフラインで伝達される。この入力手段は他の方法例えばデジタイズしたデジタル信号で伝達されてもよい。
【００１７】
図２において、スタート時刻信号１０８に関連したタイムチャート２００に示すＧＰＳ装置によって同期化された前記計時表示装置１０１、１０２、１０３の基準時刻２０１は競技開始前に設定された任意の時刻である。スタート時刻信号１０８の通知を受けた現在時刻２０３から遡って、前述のように、前記スタート地点の計時表示装置１０１がスタート信号１０７によって計時が開始された後で、最初の中継地点１０２ａを最初の競技者が通過する以前に、前記中継地点１０２ａ、１０２ｂ…に設置された計時表示装置１０２、ゴール地点の計時表示装置１０３に、前記スタート地点のスタート時刻信号１０８を入力することによって、スタート時刻２０２からの経過時間２０５が演算されて、カウント２０４が開始され、前記スタート地点及びゴール地点を通過する競技者のラップタイム、スプリットタイム、エレプシードタイム、全走行タイム等の競技タイムを計時することができる。
【００１８】
図３は、基本構成が同一の本発明の競技用計時表示装置の一つについての詳細な構成３００を示すもので、衛星より発射された電波はアンテナ３０１によって受信されてＧＰＳ（Ｇｒｏｂａｌ  Ｐｏｓｉｔｉｏｎｉｎｇ  Ｓｙｓｔｅｍ）装置３０２に導かれ基準時刻信号が得られる  。操作部３０６は入力部３０５、記憶部３０４、制御部３０３を経由して表示部３１１、初期時刻設定部３０９、経過時間算出部３０８に接続される。同時に  、操作部３０６は個別競技識別部３０７、経過時間算出部３０８、初期時刻設定部３０９に接続される。そして、前記経過時間算出部３０８、初期時刻設定部３０９は、高安定水晶発振器により構成されているクロック部３１０によって機能している。前記スタート時刻信号１０８が前記操作部３０６、入力部３０５を経て初期時刻設定部３０９に伝達される。また、操作部３０６からは、前記中継地点、ゴール地点で確認チェックして予め登録されている競技者の例えばゼッケン番号を表示した表示板（図示せず）と連動するプッシュ入力によって、個別競技者のラップタイム、スプリットタイム、全走行タイム等の競技タイムを計時することができる。
【００１９】
図４は、本発明の実施例をトラック競技の競技空間４００でマラソン競技を示したもので、トラック４０３にはスタート地点４０１、ゴール地点４０２が設けられる。本発明の、競技を見物する一般観衆のために設けられて移動可能なように車載された競技用計時表示装置１０１には前述の操作入力部（図３の操作部３０６と入力部３０５を総称して操作入力部と称す）とプリンタ及びスタートピストル１０１ｂの信号線が接続された制御器４１１が搭載され、同様に中継地点に配置された競技用計時表示装置１０２には前述の操作入力部とプリンタが接続された制御器４１２ー１  、４１２ー２、…が搭載され、また競技用計時表示装置１０３には前述の操作入力部とプリンタが接続された制御器４１３が搭載されている。そして前記競技用計時表示装置１０１、１０２、１０３は夫々スタート地点４０１、中継地点１０２ａ、１０２ｂ、…及びゴール地点４０２に配置される。また、マラソン競技の場合は、前記制御器４１２ー１、４１２ー２、…４１２ー８は間隔４０４、４０５、４０６…が規定によって５Ｋｍになるように配置される。図４における各制御器４１２ー１、４１２ー２等は通常図３に示す競技用計時表示装置として構成され、競技タイム等を表示する表示部を有している。
【００２０】
今、マラソン競技のスタートピストル１０１ｂが発射されると，前記スタートピストル１０１ｂと信号線で接続された制御器４１１によって競技の計測が開始されると同時にその経過が競技用計時表示装置１０１に表示され、競技開始時刻がプリントアウトされる。このプリントアウトされた前記競技スタート時刻を、中継地点１０２ａ、１０２ｂ…及びゴール地点に配置された制御器４１２ー１、４１２ー２…、４１３に音声通話で伝達される。その結果、前記競技用計時表示装置１０１、１０２、１０３には夫々の制御器４１２ー１、４１２ー２…、４１３によりスタート時刻からの経過時間が計測されて競技タイムが表示される。
【００２１】
以上の説明から明らかなように、本発明の競技用計時表示シスタムはマラソン競技に限定されるものではなく、トラック競技や他の競技にも適用できるもである。
【００２２】
本発明の特徴は、今までの説明から明らかなように、競技のスタート時刻の計時の設定が、オフラインで余裕を持って行うことができる点にある。
【００２３】
【発明の効果】
本発明によれば、互いに遠隔に配置された基本構成が同一の計時表示装置を、ＧＰＳ装置による基準時刻信号によって同期化し、スタート時刻信号によって算出基準を決めて計時を行うので高い信頼性のある計測値を得ることができる。
【００２４】
また、本発明によれば、競技用計時表示システムの構成が簡単で汎用性があり、マラソン競技に限らずトラック競技や他の競技にも適用でき、高い信頼性のある計時を行うことができる。
【００２５】
更にまた、本発明によれば、中継地点、ゴール地点に配置された計時表示装置へのスタート時刻の入力を、数値を音声通話によって行うことができ競技用計時表示システム運用が極めて簡単である。
【図面の簡単な説明】
【図１】本発明の競技用計時システムの総合構成図である。
【図２】本発明のスタート時刻信号のタイムチャートである。
【図３】本発明の競技用計時システムの詳細構成図である。
【図４】本発明の競技用計時システムの競技空間での設置図である。
【符号の説明】
１００  本発明の競技用計時システム
１０１  スタート地点に配置された基本構成が同一の計時表示装置
１０２  中継地点に配置された基本構成が同一の複数の計時表示装置１０２
１０２ａ、１０２ｂ、…中継地点
１０３  ゴール地点に配置された基本構成が同一の計時表示装置１０３
１０４、１０５、１０６  操作／入力部
１０７  スタート信号
１０８  スタート時刻信号
１０９  基準時刻同期化信号
２００  スタート時刻信号のタイムチャート
２０１  任意の基準時刻
２０２  スタート時刻
２０３  現在時刻
２０４  算出カウント
２０５  経過時間
３００  本発明の競技用計時システムの詳細図
３０１  アンテナ
３０２  ＧＰＳ装置
３０３  制御部
３０４  記憶部
３０５  入力部
３０６  操作部
３０７  個別競技者識別部
３０８  経過時間算出部
３０９  初期時刻設定部
３１０  クロック部
３１１  表示部
【図１】
0003611074.tif 000002
【図２】
0003611074.tif 000003
【図３】
0003611074.tif 000004
【図４】
0003611074.tif 000005